(57)【要約】      （修正有）【課題】静止画撮影にあっては光量不足の発生を阻止するとともに、動画撮影にあっては被写界輝度の変化に応じて光量を無音で調節することができる撮影装置が提供する。【解決手段】動画撮影時には液晶絞り１０１１を用いるようにする。さらに液晶絞り１０１１を撮影光路に進出させたときには制御部１００が、液晶絞りに印加している電圧に応じた分光透過率をホワイトバランス部にパラメータセット等により通知するようにしておいて、好適なホワイトバランス調節を行なわせるようにする。静止画撮影時には、液晶絞りを退避させて絞り板を用いて光量の調節を行なう。【選択図】図２
2007067915.tif 000002
【特許請求の範囲】
【請求項１】
撮像素子上に撮影光学系で被写体を結像させ、該撮像素子で被写体を表わす画像信号を生成する撮影装置において、
この撮影装置は、動画を撮影する動画撮影モードと静止画を撮影する静止画撮影モードとを有するものであって、
前記撮影光学系の撮影光路から退避した位置に在り該撮影光路に進出自在であって、該撮影光路に進出した状態にあるときには該撮影光路を進行する光の量を調節する光量調節手段と、
操作により前記動画撮影モードが選択された状態にあるときには前記光量調節手段を前記撮影光路に進出させるとともに、操作により前記静止画撮影モードが選択された状態にあるときには前記撮影光路から前記光量調節手段を退避させる進退制御手段とを備えたことを特徴とする撮影装置。
【請求項２】
前記光量調節手段は、液晶を利用して光量を調節する液晶絞りであることを特徴とする請求項１記載の撮影装置。
【請求項３】
前記撮像素子で生成された画像信号のホワイトバランスを調節するホワイトバランス調節部を備え、該ホワイトバランス調節部は、前記光量調節手段が撮影光路に進出しているときに、該光量調節手段の分光透過率を考慮したホワイトバランス調節を行なうものであることを特徴とする請求項１又は２記載の撮影装置。
【発明の詳細な説明】
【技術分野】
【０００１】
本発明は、撮像素子上に撮影光学系で被写体を結像させ、その撮像素子で被写体を表わす画像信号を生成する撮影装置に関する。
【背景技術】
【０００２】
最近のデジタルカメラにおいては静止画撮影に加えて動画撮影も行なうことができる。静止画撮影を行なう場合には、ある一瞬の被写体を捉えて撮影を行なうため、撮影直前の被写界輝度を検出して絞り径などを調節すればよいが、動画撮影を行なう場合には、所定の時間の間中、連続的に撮影を行なうことになるため被写体側の輝度の変化に対応することができるように、２段階の絞りの場合は小絞りと開放絞りとを輝度に応じて切り替えることによって光量を調節しながら撮影を行なう必要がある。このため、多くのデジタルカメラでは、小絞りと開放絞りとを有する絞り板を回転させることにより撮影光路に小絞りを進出させたり退避させたりするようにして動画撮影を行なうようにしている。この絞り板を駆動するときには、被写界の輝度変化に応じて頻繁に小絞りと開放絞りとを切り替えることができるように絞り板をストッパなどに当接させた後そのストッパにそのまま絞り板を保持させることによって小絞りあるいは開放絞りを撮影光路に位置させたり退避位置に保持させたりしているデジタルカメラが多い。
【０００３】
しかし、動画を撮影する場合には、音声の録音も行なうことが多く、上記のように絞り板を録画中に撮影光路上に進出させたり退避させたりすると、絞り板を撮影光路に進出させたり退避位置に退避させたりしているときのストッパと絞り板との当接音が録音されてしまう。
【０００４】
そこで、このような絞り板の当接音を抑制する技術として絞り羽根を用いる技術が提案されている（例えば特許文献１参照）。しかしながら、この絞り羽根を用いようとするとその絞り羽根を駆動するためのアクチュエータが必要になり、レンズ部が大型化してしまうという問題が出てくる。
【０００５】
ところで、上記のように絞り板を切り替えているときに発生する当接音を抑制しようとするものではないが、小絞り時に絞りのエッジ部分で起こる回折現象によりレンズ性能が劣化することを防ぐため、絞り板を用いる代わりに液晶シャッタを撮影光路上に進出自在にする技術が提案されている（例えば特許文献２参照）。この技術を応用すると液晶シャッタではなく液晶を液晶絞りとして用いることにより光量の調節を行なうこともできる。
【０００６】
しかし、撮影光路上に上記液晶絞りのような光量調節手段を挿入するとその光量調節手段の挿入損により透過光量が低下してしまうという問題がある。透過光量の低下は撮影領域を狭めることになるため、静音化の必要性がない静止画撮影の時に光量調節手段が光路上にあるのは望ましくなかった。
【特許文献１】特開２００４−１２８５３９号公報
【特許文献２】特開２００５−３２３２６４号公報
【発明の開示】
【発明が解決しようとする課題】
【０００７】
本発明は、上記事情に鑑み、静止画撮影にあっては光量不足の発生を阻止するとともに、動画撮影にあっては被写界輝度の変化に応じて光量を無音で調節することができる撮影装置を提供することを目的とする。
【課題を解決するための手段】
【０００８】
上記目的を達成する本発明の撮影装置は、撮像素子上に撮影光学系で被写体を結像させ、その撮像素子で被写体を表わす画像信号を生成する撮影装置において、
この撮影装置は、動画を撮影する動画撮影モードと静止画を撮影する静止画撮影モードを有するものであって、
上記撮影光学系の撮影光路から退避した位置に在りその撮影光路に進出自在であって、その撮影光路に進出した状態にあるときにはその撮影光路を進行する光の量を調節する光量調節手段と、
操作により上記動画撮影モードが選択された状態にあるときには上記光量調節手段を上記撮影光路に進出させるとともに操作により上記静止画撮影モードが選択された状態にあるときには上記撮影光路から上記光量調節手段を退避させる進退制御手段とを備えたことを特徴とする。
【０００９】
上記本発明の撮影装置によれば、上記動画撮影モードが選択された状態にあるときには上記光量調節手段が上記撮影光路に進出して被写界輝度の変化に応じて上記光量調節手段
により光量が調節される。
【００１０】
そうすると、動画撮影中に上記撮影光路に絞り板を進出させたり、退避させたりする必要がなくなって動画撮影中に絞り板とストッパとの間の当接音等が録音されるということがなくなる。
【００１１】
また、静止画撮影モードが選択された状態にあるときには、上記進退制御手段によって上記光量調節手段を上記撮影光路から退避させることができるため、静止画撮影時に光量不足が発生することがなくなる。
【００１２】
以上説明したように、静止画撮影にあっては光量不足の発生を阻止するとともに、動画撮影にあっては被写界輝度の変化に応じて光量を無音で調節することができる撮影装置が実現する。
【００１３】
ここで、上記光量調節手段は、液晶を利用して光量を調節する液晶絞りであることが好ましい。
【００１４】
上記光量調節手段が液晶絞りであると、電極間に所定の電圧を印加することにより透過光量が調節されるようになる。尚、一つの液晶を用いてＮＤフィルタのように全体の透過光量を調節するようにしてもよく、液晶アレイを用いて中央の液晶と全体の液晶との双方を切り替えて用いるようにして小絞りと開放絞りとを電気的に切り換えるようにしても良い。
【００１５】
さらに上記撮像素子で生成された画像信号のホワイトバランスを調節するホワイトバランス調節部を備え、そのホワイトバランス調節部は、上記光量調節手段が撮影光路に進出しているときに、その光量調節手段の分光透過率を考慮したホワイトバランス調節を行なうものであることが好ましい。
【００１６】
そうすると上記液晶絞りが進出したことによりその液晶絞りを透過した後の撮影光の赤色光、緑色光、青色光それぞれの各振幅値に変化が生じたとしても上記ホワイトバランス調節部によってその変化が考慮されて上記液晶絞りが撮影光路に進出していないときと同等のホワイトバランス調節が行なわれる。
【発明の効果】
【００１７】
以上、説明したように、静止画撮影にあっては光量不足の発生を阻止するとともに、動画撮影にあっては被写界輝度の変化に応じて光量を無音で調節することができる撮影装置が実現する。
【発明を実施するための最良の形態】
【００１８】
以下、本発明の実施の形態について説明する。
【００１９】
図１は本発明の一実施形態であるデジタルカメラ１の外観を示す図である。
【００２０】
図１に示すデジタルカメラ１のカメラボディ１ａ中央にレンズ鏡胴１０が備えられている。そのレンズ鏡胴１０の上方にはファインダ１１が備えられており、そのファインダ１１の隣にはフラッシュ発光窓１２が備えられている。
【００２１】
また、カメラボディ１ａの上面にはシャッタボタン１３とモードダイヤル１４が備えられている。このデジタルカメラ１は、動画を撮影する動画撮影モードと静止画を撮影する静止画撮影モードさらに再生モードとを有するものであってそれらのモードの切替が上記モードダイヤル１４により行なわれる。そのモードダイヤル１４が動画撮影モードあるいは静止画撮影モードに切り替えられた状態にあるときにシャッタボタン１３が操作されると、いずれかの撮影モードで被写体の撮影が行なわれるようになっている。一方の動画撮影モードが選択されている状態にあるときには動画像の撮影に加えて被写体側の人の音声をマイク１５を通して録音することができるようにもなっている。さらに裏面側には、再生時に録音した音声を再生出力するためのスピーカ１６も備えられている。
【００２２】
図２は、図１に示すデジタルカメラの内部構成を示すブロック図である。
【００２３】
図２に示すようにレンズ鏡胴１０内には撮影レンズのほか、小絞りと開放絞りとを有する絞り板１０１０および液晶絞り１０１１とを備えた撮影光学系が配備されている。この例においてはモードダイヤル１４が動画撮影モードに切り替えられているときには、従来のように絞り板１０１０に設けられている小絞りを撮影光路に進出させたり退避させたりする代わりに上記液晶絞り１０１１を撮影光路に進出させてドライバ１００ｄを用いて液晶絞り１０１１の電極間に印加する電圧を変化させることにより光量をその液晶絞り１０１１に調節させるようにしている。このようにしておくと、動画撮影中に絞り板１０１０を切り替えなくても済むため、切替音がマイク１５に拾われるということがなくなる。この液晶絞りが本発明にいう光量調節手段にあたる。なお、この例においては、光量を調節するにあたって、液晶絞り１０１１をＮＤフィルタとして作用させるようにしてある。
【００２４】
ここで、液晶絞り１０１１を撮影光路に進出させたり、撮影光路から退避させたりする進退制御手段の構成を説明しておく。
【００２５】
図２に示すように液晶絞り１０１１は、周縁部にギアを持つ枠に保持されている。この枠に設けられているギアとモータ１００Ｍのギアヘッド１００Ｇとが噛合して、ギアヘッド側のモータ１００Ｍが正回転すると液晶絞り１０１１が撮影光路に進出し、逆回転すると撮影光路から退避するようになっている。ここでは、モードダイヤルが動画撮影モードに切り替えられた状態にあるときには制御部１００が駆動部１００ｂに指示してモータ１００Ｍを正回転させ撮影光路に液晶絞り１０１１を進出させ、静止画撮影モードに切り替えられた状態にあるときには制御部１００が駆動部１００ｂに指示してモータ１００Ｍを逆回転させ撮影光路から液晶絞り１０１１を退避させている。この制御部１００と駆動部１００ｂとモータ１００Ｍとギア１００Ｇと液晶絞りを保持するギア付き枠が進退制御手段にあたる。
【００２６】
また本実施形態においては、静止画撮影モードが選択された状態にあるときには上記液晶絞りを用いる必要がないので、従来の絞り板１０１０を用いるようにしている。この小絞りと開放絞りとの双方が設けられている絞り板１０１０の方は従来と同様にムービングコイルを備える駆動部１００ｃにより駆動され、小絞りと開放絞りとのうちのいずれかの絞りが撮影光路に進出したり退避したりするように構成されている。このような構成にしておくと、静止画撮影時においては、上記液晶絞りを撮影光路から退避させることができる様になるので、液晶絞りの挿入に起因する光量不足の発生が阻止される。
【００２７】
ここで図２を参照して図１のデジタルカメラの内部構成と動作を簡単に説明する。
【００２８】
図１に示すデジタルカメラ１の動作は、統括的に制御部１００によって制御されている。
【００２９】
この制御部１００の入力部にはモードダイヤル１４とシャッタボタン１３とが接続されていてモードダイヤル１４が動画撮影モードあるいは静止画撮影モードに切り替えられた状態にあるときにシャッタボタン１３が押されたら、制御部１００によって撮影処理が開始される。
【００３０】
モードダイヤル１４が静止画撮影モードに切り替えられた状態にあるときには、制御部１００はその操作信号を受けて駆動部１００ｂに指示して上記液晶絞り１０１１を撮影光路から退避させ上記絞り板１０１０に設けられている小絞り、あるいは開放絞りを撮影光路に進出させてから撮影処理を行なうようしている。またモードダイヤルが動画撮影モードに切り替えられた状態にあるときには絞り板１０１０に設けられいる小絞りと開放絞りとのうちの開放絞りの方を撮影光路に進出させておいてさらに上記液晶絞り１０１１を撮影光路に進出させてから撮影処理を行なうようにしている。このように動画撮影における撮影処理を行なうときには、制御部１００が後段の信号処理部によるＡＥの測定結果に応じてドライバ１００ｄに指示して液晶絞り１０１１に印加する電圧の調節を行なわせることにより液晶絞り１０１１に光量の調節を行なせるようにしている。
【００３１】
まずモードダイヤル１４が静止画撮影モードに切り替えられた状態にあるときの撮影処理を簡単に説明しておく。
【００３２】
モードダイヤル１４が静止画撮影モードに切り替えられた状態にあるときには、制御部１００はその操作信号を受けて上記液晶絞り１０１１を撮影光路から退避させ上記絞り板１０１０に設けられている小絞り、あるいは開放絞りを撮影光路に進出させることにより撮影処理を行なうようしている。この例においては小絞り、あるいは開放絞りのうちのどちらを撮影光路に進出させるかが後段側の信号処理部１０６のＡＥ検出に基づいて制御部１００によって行なわれている。また、合焦位置の検出も信号処理部１０６のＡＦ検出結果に基づいて制御部１００によって行なわれている。
【００３３】
ここで撮影処理を分かり易くする為にモードダイヤル１４が静止画撮影モードに切り替えられている状態にあるときの撮影処理に係る画像信号の流れを説明する。
【００３４】
モードダイヤル１４が静止画撮影モードに切り替えられたときには図２に示す撮影光学系１０１でＣＣＤ１０２に結像させた被写体を表わす画像信号がＣＣＤによって次々と生成される。このときに制御部１００はクロックジェネレータ１００ａを制御して所定の時刻（例えば３３ｍｓ）ごとにＣＧ１００ａからＣＣＤ１０２にタイミング信号を供給させＣＣＤ１０２に、ＣＤＳ部１０３への画像信号の出力を所定の時刻ごとに行なわせることにより次々と画像信号の生成をＣＣＤ１０２に行なわせるようにしている。ＣＤＳ部１０３では所定の時刻ごとの画像信号の供給を受けてその都度ノイズの低減が行われる。さらにこのノイズの低減が行なわれた画像信号が次段のホワイトバランス部１０４に供給される。このホワイトバランス部１０４によってホワイトバランスの調節が行なわれたら次段のＡ／Ｄ部１０５にホワイトバランスの調節されたＲ、Ｇ，Ｂ信号が供給される。そうしたらＡ／Ｄ部１０５によってアナログ信号からデジタル信号への変換が行なわれてデジタル信号に変換された画像信号が信号処理部１０６に供給される。さらに信号処理部１０６でＹＣ信号への変換が行われてそのＹＣ信号が表示部１０７に供給され、表示部１０７によりＹＣ信号が表わす画像信号に基づく画像の表示が行なわれる。この画像が所定の時刻ごとに切り替えられて表示されることになるので、撮影光学系が捉えた画像がスルー画としてそのまま表示部の表示画面上に表示されることとなる。
【００３５】
このようにスルー画が表示画面上に表示されているときにそのスルー画を見ているユーザによってシャッタボタン１３が押されたらそのシャッタボタン１３の押下を受けて制御部１００がＣＧ１００ａを制御してＣＣＤ１０２に向けて露光開始を知らせるタイミング信号を供給させる。その後、所定のシャッタ秒時が経過したら今度は露光終了を知らせるタイミング信号をＣＧ１００ａに供給させてＣＣＤ１０２から画像信号を出力させる。ＣＤＳ部１０３ではノイズの低減が行われ、さらにホワイトバランス部１０４でホワイトバランス調節が行なわれた後、Ａ／Ｄ部１０５でデジタル信号への変換が行なわれる。さらにデジタル信号に変換された画像信号が信号処理部１０６に供給され、信号処理部１０６でＹＣ信号への変換およびＪＰＥＧ圧縮が行なわれて、そのＪＰＥＧ圧縮された画像信号が記録部１０８によって媒体に記録される。
【００３６】
次にモードダイヤル１４が動画撮影モードに切り替えられた状態にあるときの撮影処理を説明する。
【００３７】
モードダイヤル１４が動画撮影モードに切り替えられた状態にあるときには、絞り板１０１の開放絞りを撮影光路に進出させたままにしておいて、液晶絞り１０１１を撮影光路に進出させるようにしている。このようにしておいて、その液晶絞り１０１１の電極に、制御部１００が信号処理部１０６からのＡＥ結果に応じてドライバ１００ｄに電圧を印加させることにより液晶絞り１０１１の透過率を変化させることによって液晶絞り１０１１に撮影光量の調節を行なわせるようにしている。このように液晶絞りに光量の調節を行なわせるようにしている以外は、静止画撮影モード時の処理と同様の処理が行なわれてスルー画の表示が表示部により行なわれる。
【００３８】
ここで、シャッタボタン１３が押されたらそのシャッタボタン１３の押下を受けて制御部１００はＣＧ１００ａにＣＣＤ１０２に向けてタイミング信号を供給させる。このタイミング信号を先頭として以降所定のタイミングごとに次々とタイミング信号を供給させて次々と画像信号を出力させる。ＣＤＳ部１０３以降においては同様の処理が行なわれ記録部１０８によってＭＰＥＧ圧縮された動画を表わす画像信号が媒体に記録される。
【００３９】
図３は、動画撮影モードのときに液晶絞り１０１１をどのように作用させるかを説明する図である。図３（ａ）には、静止画撮影時の液晶絞りが退避位置にあることが示されており、図３（ｂ）には動画撮影モード時に液晶絞りが撮影光路に進出した状態が示されている。
【００４０】
図３（ａ）に示すように静止画撮影時には、制御部１００が信号処理部１０６のＡＥ検出結果に応じて絞り板１０１０をドライバ１００ｄに駆動させることにより小絞りあるいは開放絞りのいずれかを撮影光路に進出させて撮影処理を行なうようにしている。
【００４１】
静止画撮影の場合には録音が行なわれる訳でもなく、被写界輝度の変化が起こるような撮影環境下で撮影が行なわれる訳でもないので、液晶絞り１０１１を撮影光路から退避させて絞り板１０１０に光量の調節を行なわせるようにしている。
【００４２】
これに対し、動画撮影の場合には録音が行なわれるようになるとともに被写界輝度の変化が頻繁に起こる撮影環境になるので、液晶絞り１０１１を撮影光路に進出させて信号処理部１０６によるＡＥ検出結果に応じてドライバに液晶絞り１０１１に印加する電圧を変化させることにより液晶絞り１０１１に光量の調節を行なわせるようにしている。
【００４３】
さらに本実施形態の例では、液晶絞り１０１１を撮影光路に進出させると液晶１０１１の分光透過率の影響がホワイトバランスに現われることが予想されるので、制御部１００が、液晶絞り１０１１にドライバに印加させている電圧に応じた分光透過率をホワイトバランス部１０４に通知することによって分光透過率を考慮したホワイトバランス調節をホワイトバランス部１０４に行なわせるようにもしている。
【００４４】
このようにして動画撮影時においては絞り板を回転させずに輝度の調節を行なうようにして被写体の音声以外の音が録音されることを防止する様にしている。また、静止画撮影時においては、光量不足を引き起こす原因になる液晶絞りを用いずに絞り板を用いて撮影を行なうようにして光量不足が発生することを阻止する様にしている。
【００４５】
以上説明したように静止画撮影にあっては光量不足の発生を阻止するとともに、動画撮影にあっては被写界輝度の変化に応じて光量を無音で調節することができる撮影装置が実現する。
【００４６】
最後にこれまで説明してきた制御部１００が行なう撮影処理の処理手順をフローチャートの形ににして説明する。
【００４７】
図４は、撮影処理の手順を示すフローチャートである。
【００４８】
ステップＳ４０１でモードダイヤルによって静止画撮影モードが選択されたか、動画撮影モードが選択されたかを判定する。
【００４９】
このステップＳ４０１で動画撮影モードが選択されていると判定したらステップＳ４０２へ進み液晶絞り１０１１を撮影光路に進出させる。
【００５０】
ステップＳ４０３で、シャッタボタン１３が半押しされているかどうかを判定し、このステップＳ４０３で半押しされたと判定したら、次のステップＳ４０４で信号処理部のＡＥ検出結果に基づいて液晶絞り１０１１に被写界輝度に応じた電圧を印加させることにより透過光量を調節させる。さらに次のステップＳ４０５へ進んで信号処理部１０６のＡＦ処理結果に応じて今度はフォーカスレンズを不図示の駆動部の駆動により合焦位置に配置させる。
【００５１】
ステップＳ４０６でシャッタボタン１３が全押しされたと判定したら、ステップＳ４０７でＣＧ１００ａにシャッタボタン１３の押下タイミングに同期したタイミング信号を供給させてＣＣＤ１０２に露光を開始させる。所定のシャッタ秒時が経過したらステップＳ４０８へ進みＣＧ１００ａからＣＣＤ１０２へ露光終了信号を供給させてＣＣＤ１０２に画像信号を出力させる。ここでは動画撮影モードが選択されているので、ＣＧに所定の時刻ごとにＣＣＤに向けて露光開始信号および露光終了信号を次々と供給させる。次のステップＳ４０９へ進んでステップＳ４０９で動画撮影であるか、静止画撮影であるかを再度判定する。このステップＳ４０９で動画撮影であると判定したら、ステップＳ４１０へ進んで液晶絞り１０１１の分光透過率を考慮したホワイトバランス処理をホワイトバランス部１０４に行なわせる。
【００５２】
次のステップＳ４１１へ進んで、Ａ／Ｄ部にデジタル信号への変換を行わせて信号処理部にデジタル信号に変換された画像信号を供給させステップＳ４１２で信号処理部１０６にＪＰＥＧ圧縮処理を行なわせてＪＰＥＧ圧縮処理された画像信号を記録部１０８に供給させる。次のステップＳ４１３で記録部１０８に媒体への記録を行なわせて次のステップＳ４１４でフラグ等の検出により動画撮影であるか静止画撮影であるかを判定して動画撮影であると判定したときにはステップＳ４０６に戻って再度全押し操作がされるまでステップＳ４０７からステップＳ４１４の処理を繰り返し行なって記録部に媒体へのＭＰＥＧ圧縮信号の記録を所定の時刻ごとに繰り返し行なわせる。
【００５３】
ステップＳ４０６に戻って再度シャッタボタンが全押しされたと判定したら、動画撮影終了であると判定してこのフローの処理を終了する。
【００５４】
また、ステップＳ４０１で静止画撮影モードであると判定したらステップＳ４１５へ進んでステップＳ４１５で液晶絞り１０１１を撮影光路から退避させる。次のステップＳ４０３でシャッタボタン１３が半押しされたと判定したら次のステップＳ４０４で信号処理部のＡＥの測定結果に基づいて絞り板１０１０を駆動部１００ｃに駆動させることにより小絞りあるいは開放絞りを撮影光路に進出させる。次のステップＳ４０５へ進んで信号処理部１０６のＡＦ結果に応じてフォーカスレンズを合焦へ位置に配置させる。
【００５５】
次のステップＳ４０６へ進んで全押しされたと判定したら、次のステップＳ４０７でＣＧに露光開始信号を供給させることによりＣＣＤ１０２に露光を開始させる。所定のシャッタ秒時を経過したら次のステップＳ４０８へ進んでＣＧ１００ａに露光終了信号を供給させることにより画像信号の出力を行なわせる。次のステップＳ４０９でフラグ等を検出することにより静止画撮影であると判定したらステップＳ４１６でホワイトバランス部にノーマルホワイトバランス処理を行なわせて次のステップＳ４１１でＡ／Ｄ部１０５にＡ／Ｄ変換を行わせて信号処理部１０６にデジタル信号に変換された画像信号を供給させる。その画像信号の供給を受けた信号処理部１０６に画像圧縮の処理を行なわせ、さらに次のステップＳ４１３で記録部１０８に媒体への画像信号の記録を行なわせてステップＳ４１４でフラグ等の検出により静止画撮影であると判定したらこのフローの処理を終了する。
【００５６】
図５は第２の実施形態を示す図である。
【００５７】
図５には、説明を簡略にするため、液晶絞りの配置のみが示されているが、静止画撮影時には絞り板が用いられる構成になっている。
【００５８】
第１の実施形態では、ＣＣＤ１０２の前面に液晶絞りを配置するようにしたためＮＤフィルタとして作用させるしかなかったが、絞り板が配設されていた位置に液晶絞り１０１１Ｍを配設するようにしてさらに液晶絞りに液晶アレイを用いるようにすると絞り板を用いたのと同じ様に液晶絞りを作用させることもできる。
【００５９】
このときには液晶絞り１０１１Ｍに液晶アレイを用いることによって液晶の中央部のみの電極に電圧を印加することにより小絞りとして液晶アレイを動作させたり、液晶の中央部のみならず広がった範囲の電極に電圧を印加することにより開放絞りとして液晶絞りを動作させたりすれば良い。このようにしても同様の効果が得られる。
【図面の簡単な説明】
【００６０】
【図１】本発明の一実施形態であるデジタルカメラ１の外観を示す図である。
【図２】図１に示すデジタルカメラの内部構成を示すブロック図である。
【図３】動画撮影モードのときに液晶絞り１０１１をどのように作用させるかを説明する図である。
【図４】撮影処理の手順を示すフローチャートである。
【図５】第２の実施形態を示す図である。
【符号の説明】
【００６１】
１    デジタルカメラ
１０    レンズ鏡胴
１１    ファインダ
１２    フラッシュ発光窓
１３    シャッタボタン
１４    モードダイヤル
１５    マイク
１６    スピーカ
１００  制御部
１０１    撮影光学系
１０１０    絞り板（小絞りまたは開放絞り）
１０１１  １０１１Ｍ  液晶絞り
１０２    ＣＣＤ
１０３    ＣＤＳ部
１０４    ホワイトバランス部
１０５    Ａ／Ｄ部
１０６    信号処理部
１０７    表示部
１０８    記録部
【図１】
2007067915.tif 000003
【図２】
2007067915.tif 000004
【図３】
2007067915.tif 000005
【図４】
2007067915.tif 000006
【図５】
2007067915.tif 000007